(57)【要約】【課題】ユーザが支持部材のハンドルと一緒にドラムユニットのハンドルを掴んでしまうのを抑制することを目的とする。【解決手段】画像形成装置（カラープリンタ１）は、上方に開口する開口部１０Ａを有する本体筐体１０と、感光ドラム４１を備えたドラムユニット４０と、感光ドラム４１を露光する露光ヘッド５０と、現像剤を収容する現像カートリッジ６０と、ドラムユニット４０の上方に配置され、露光ヘッド５０および現像カートリッジ６０を支持する支持部材９０であって、露光ヘッド５０が感光ドラム４１を露光可能な露光位置と、露光ヘッド５０が感光ドラム４１から離間する離間位置との間を回動可能な支持部材９０を備える。ドラムユニット４０は、第１ハンドルＨ１を備える。支持部材９０は、第２ハンドルＨ２と、支持部材９０が露光位置に位置するときに、第２ハンドルＨ２と第１ハンドルＨ１との間に位置して第１ハンドルＨ１を覆うカバーＣを備える。【選択図】図１
2019152840.tif 000002
【特許請求の範囲】
【請求項１】
上方に開口する開口部を有する本体筐体と、
感光ドラムを備えたドラムユニットと、
前記感光ドラムを露光する露光ヘッドと、
現像剤を収容する現像カートリッジと、
前記ドラムユニットの上方に配置され、前記露光ヘッドおよび前記現像カートリッジを支持する支持部材であって、前記露光ヘッドが前記感光ドラムを露光可能な露光位置と、前記露光ヘッドが前記感光ドラムから離間する離間位置との間を回動可能な支持部材と、を備えた画像形成装置であって、
前記ドラムユニットは、第１ハンドルを備え、
前記支持部材は、第２ハンドルと、前記支持部材が前記露光位置に位置するときに、前記第２ハンドルと前記第１ハンドルとの間に位置して前記第１ハンドルを覆うカバーとを備えることを特徴とする画像形成装置。
【請求項２】
前記支持部材は、水平方向の一端を中心に回動可能であり、
前記第２ハンドルは、前記第１ハンドルよりも前記水平方向の他端側に配置され、
前記カバーは、前記水平方向の他端側に向かうにつれて前記第２ハンドルから上下方向において離れた位置に位置するように傾斜する傾斜部を有することを特徴とする請求項１に記載の画像形成装置。
【請求項３】
前記ドラムユニットは、前記第１ハンドルから前記水平方向に離れて配置される第１壁を備え、
前記カバーは、前記第１ハンドルと前記第１壁との間の空間に向けて開口する孔を有することを特徴とする請求項１または請求項２に記載の画像形成装置。
【請求項４】
前記ドラムユニットは、前記感光ドラムを複数備え、
前記支持部材は、
水平方向の一端に配置され、前記露光位置と前記離間位置とに回動するための回動軸と、
水平方向の他端に配置され、前記本体筐体に係合する爪部を有するフックと、
を備え、
前記カバーは、上下方向において、前記第２ハンドルと前記爪部との間に配置されていることを特徴とする請求項１から請求項３のいずれか１項に記載の画像形成装置。
【請求項５】
前記支持部材は、前記第２ハンドルから前記水平方向に離れて配置される第２壁と、前記第２壁から前記第２ハンドルに向けて延び、前記第２ハンドルを回動可能に支持するハンドル支持部とを有し、
前記第２ハンドルは、前記フックを有し、前記フックとともに前記ハンドル支持部に対して回動することを特徴とする請求項４に記載の画像形成装置。
【請求項６】
前記支持部材は、前記第２ハンドルの外周面から突出する突出片を有することを特徴とする請求項５に記載の画像形成装置。
【請求項７】
前記突出片の先端は、前記第２ハンドルと前記第２壁との間に配置されていることを特徴とする請求項６に記載の画像形成装置。
【請求項８】
前記フックは、前記感光ドラムの回転軸線方向において、前記第２ハンドルの一端側と他端側にそれぞれ設けられていることを特徴とする請求項５から請求項７のいずれか１項に記載の画像形成装置。
【請求項９】
前記カバーは、前記回転軸線方向において、前記一端側のフックと前記他端側のフックとの間に配置されていることを特徴とする請求項８に記載の画像形成装置。
【請求項１０】
前記カバーは、前記水平方向において、前記フックと前記第２壁との間に配置されていることを特徴とする請求項５から請求項９のいずれか１項に記載の画像形成装置。
【請求項１１】
前記カバーは、前記感光ドラムの回転軸線方向における長さが、１３０〜１５０ｍｍであることを特徴とする請求項１から請求項１０のいずれか１項に記載の画像形成装置。
【請求項１２】
前記カバーの厚さは、１．６〜２ｍｍであることを特徴とする請求項１から請求項１１のいずれか１項に記載の画像形成装置。
【請求項１３】
前記第２ハンドルと前記カバーの上下方向における間隔は、３０〜５０ｍｍであることを特徴とする請求項１から請求項１２のいずれか１項に記載の画像形成装置。
【発明の詳細な説明】
【技術分野】
【０００１】
本発明は、感光ドラム、露光ヘッドおよび現像カートリッジを備えた画像形成装置に関する。
【背景技術】
【０００２】
従来、画像形成装置として、露光ヘッドおよび現像カートリッジを備えた支持部材と、感光ドラムを備えたドラムユニットとを備えたものが知られている（特許文献１参照）。具体的に、この技術では、支持部材が回動可能になっており、支持部材を上に回動した後で、その下にあるドラムユニットを交換することが可能となっている。
【先行技術文献】
【特許文献】
【０００３】
【特許文献１】特開２０１３−１３４３７１号公報
【発明の概要】
【発明が解決しようとする課題】
【０００４】
ところで、支持部材の操作と、支持部材の下に配置されるドラムユニットの取り出し易さを考慮して、支持部材とドラムユニットのそれぞれにハンドルを設けることが考えられる。しかしながら、この場合には、ユーザが支持部材を回動させるべく、支持部材のハンドルを掴もうとすると、その下にあるドラムユニットのハンドルも一緒に掴んでしまうことがあるため、支持部材を回動させることができず、ユーザが不快に感じてしまうおそれがある。
【０００５】
そこで、本発明は、ユーザが支持部材のハンドルと一緒にドラムユニットのハンドルを掴んでしまうのを抑制することを目的とする。
【課題を解決するための手段】
【０００６】
前記課題を解決するため、本発明に係る画像形成装置は、上方に開口する開口部を有する本体筐体と、感光ドラムを備えたドラムユニットと、前記感光ドラムを露光する露光ヘッドと、現像剤を収容する現像カートリッジと、前記ドラムユニットの上方に配置され、前記露光ヘッドおよび前記現像カートリッジを支持する支持部材であって、前記露光ヘッドが前記感光ドラムを露光可能な露光位置と、前記露光ヘッドが前記感光ドラムから離間する離間位置との間を回動可能な支持部材と、を備える。
前記ドラムユニットは、第１ハンドルを備える。
前記支持部材は、第２ハンドルと、前記支持部材が前記露光位置に位置するときに、前記第２ハンドルと前記第１ハンドルとの間に位置して前記第１ハンドルを覆うカバーとを備える。
【０００７】
ここで、「第１ハンドルを覆う」とは、ユーザの手が第１ハンドルにアクセスするのを抑制できる程度に、第１ハンドルの少なくとも一部（例えば、半分以上）を覆うことを意味する。例えば、カバーは、ユーザの手が通らない程度の小さな孔を複数有していてもよい。
【０００８】
この構成によれば、ユーザが開口部から本体筐体内に手を入れて第２ハンドルを掴む際に、カバーによって第１ハンドルへのアクセスが阻止されるので、ユーザが支持部材の第２ハンドルと一緒にドラムユニットの第１ハンドルを掴んでしまうのを抑制することができる。
【０００９】
また、前記支持部材は、水平方向の一端を中心に回動可能であり、前記第２ハンドルは、前記第１ハンドルよりも前記水平方向の他端側に配置され、前記カバーは、前記水平方向の他端側に向かうにつれて前記第２ハンドルから上下方向において離れた位置に位置するように傾斜する傾斜部を有していてもよい。
【００１０】
これによれば、上下方向において第１ハンドルと第２ハンドルを近接させても、傾斜部によって、第２ハンドルを掴むための指を通すスペースを第２ハンドルとカバーとの間に確保することができるので、画像形成装置を上下方向に小型化することができる。
【００１１】
また、前記ドラムユニットは、前記第１ハンドルから前記水平方向に離れて配置される第１壁を備え、前記カバーは、前記第１ハンドルと前記第１壁との間の空間に向けて開口する孔を有していてもよい。
【００１２】
これによれば、第２ハンドル側から感光ドラム側へ向かう空気の流れ、または、感光ドラム側から第２ハンドル側へ向かう空気の流れが、カバーで遮られるのを抑制することができる。
【００１３】
また、前記ドラムユニットは、前記感光ドラムを複数備え、前記支持部材は、水平方向の一端に配置され、前記露光位置と前記離間位置とに回動するための回動軸と、水平方向の他端に配置され、前記本体筐体に係合する爪部を有するフックと、を備え、前記カバーは、上下方向において、前記第２ハンドルと前記爪部との間に配置されていてもよい。
【００１４】
また、前記支持部材は、前記第２ハンドルから前記水平方向に離れて配置される第２壁と、前記第２壁から前記第２ハンドルに向けて延び、前記第２ハンドルを回動可能に支持するハンドル支持部とを有し、前記第２ハンドルは、前記フックを有し、前記フックとともに前記ハンドル支持部に対して回動してもよい。
【００１５】
これによれば、第２ハンドルを掴んで回すと、フックも一緒に回るため、フックを本体筐体から外す作業を容易に行うことができる。
【００１６】
また、前記支持部材は、前記第２ハンドルの外周面から突出する突出片を有していてもよい。
【００１７】
これによれば、第２ハンドルを掴む際に指が突出片に当たることで第２ハンドルを回しやすくなるので、フックを本体筐体から外す作業をより容易に行うことができる。
【００１８】
また、前記突出片の先端は、前記第２ハンドルと前記第２壁との間に配置されていてもよい。
【００１９】
これによれば、指を第２ハンドルと第２壁の間に入れた際に、突出片が指に当たりやすいため、第２ハンドルをより回しやすくなり、フックを本体筐体から外す作業をより容易に行うことができる。
【００２０】
また、前記フックは、前記感光ドラムの回転軸線方向において、前記第２ハンドルの一端側と他端側にそれぞれ設けられていてもよい。
【００２１】
これによれば、第２ハンドルの一端側と他端側にフックを設けるので、支持部材を本体筐体に安定して固定することができる。
【００２２】
また、前記カバーは、前記回転軸線方向において、前記一端側のフックと前記他端側のフックとの間に配置されていてもよい。
【００２３】
また、前記カバーは、前記水平方向において、前記フックと前記第２壁との間に配置されていてもよい。
【００２４】
また、前記カバーは、前記感光ドラムの回転軸線方向における長さが、１３０〜１５０ｍｍであってもよい。
【００２５】
また、前記カバーの厚さは、１．６〜２ｍｍであってもよい。
【００２６】
また、前記第２ハンドルと前記カバーの上下方向における間隔は、３０〜５０ｍｍであってもよい。
【発明の効果】
【００２７】
本発明によれば、ユーザが支持部材の第２ハンドルと一緒にドラムユニットの第１ハンドルを掴んでしまうのを抑制することができる。
【図面の簡単な説明】
【００２８】
【図１】本発明の一実施形態に係るカラープリンタを示す図である。
【図２】トップカバーを開いた状態のカラープリンタを示す図である。
【図３】ドラムユニットおよび支持部材の前側と後側の構造を拡大して示す図（ａ）と、カバーを示す図（ｂ）である。
【図４】ドラムユニットおよび支持部材のハンドル付近の構造を示す斜視図である。
【図５】ドラムユニットおよび支持部材を上から見た平面図である。
【図６】変形例に係る支持部材を示す断面図である。
【発明を実施するための形態】
【００２９】
次に、本発明の一実施形態について、適宜図面を参照しながら詳細に説明する。なお、以下の説明においては、まず、画像形成装置の一例としてのカラープリンタ１の概略構成を簡単に説明した後、本発明の特徴部分の構成について詳細に説明する。
【００３０】
以下の説明において、方向は、図１に示す方向で説明する。すなわち、図１における左側を「前」、右側を「後」とし、奥側を「左」、手前側を「右」とする。また、図１における上側を「上」、下側を「下」とする。
【００３１】
図１に示すように、カラープリンタ１は、本体筐体１０と、トップカバー１１と、本体筐体１０内に設けられた給紙部２０および画像形成部３０とを備えている。
【００３２】
本体筐体１０は、上方に開口する開口部１０Ａを有している。トップカバー１１は、開口部１０Ａを開閉するカバーであり、本体筐体１０の上部に配置されている。トップカバー１１は、後側の回動軸１１Ａを中心として本体筐体１０に対し回動可能に設けられている（図２参照）。
【００３３】
給紙部２０は、本体筐体１０内の下部に設けられ、用紙Ｐを収容する給紙トレイ２１と、給紙トレイ２１から用紙Ｐを画像形成部３０に供給する用紙供給機構２２とを備えている。給紙トレイ２１内の用紙Ｐは、用紙供給機構２２によって１枚ずつ分離されて画像形成部３０に供給される。
【００３４】
画像形成部３０は、ドラムユニット４０と、４つの露光ヘッド５０と、４つの現像カートリッジ６０と、転写ユニット７０と、定着ユニット８０とを備えている。４つの露光ヘッド５０および４つの現像カートリッジ６０は、本体筐体１０に対して回動可能な支持部材９０によって支持されている。
【００３５】
ドラムユニット４０は、４つの感光ドラム４１と、４つの帯電ローラ４２と、各感光ドラム４１および各帯電ローラ４２を回転可能に支持するドラムフレーム４３とを備えている。４つの感光ドラム４１は、前後方向に並ぶように配置されている。各感光ドラム４１は、回転軸線が左右方向に沿っている。帯電ローラ４２は、感光ドラム４１を帯電させるローラであり、各感光ドラム４１に対応して設けられている。
【００３６】
露光ヘッド５０は、感光ドラム４１の表面を露光するものであり、各感光ドラム４１に対応して設けられている。露光ヘッド５０は、感光ドラム４１の上方に配置され、その下端に発光素子と結像レンズを有している。
【００３７】
現像カートリッジ６０は、感光ドラム４１の露光ヘッド５０で露光された部分に現像剤を供給するものであり、各感光ドラム４１に対応して設けられている。現像カートリッジ６０は、現像剤を収容する現像剤収容部６１と、現像剤収容部６１内の現像剤を感光ドラム４１に供給する現像ローラ６２とを主に備えている。各現像カートリッジ６０の現像剤収容部６１には、前から順にイエロー、マゼンタ、シアン、ブラックの現像剤が収容されている。
【００３８】
支持部材９０は、ドラムユニット４０の上方に配置されている。支持部材９０は、露光ヘッド５０が感光ドラム４１を露光可能な露光位置（図１の位置）と、露光位置よりも露光ヘッド５０が感光ドラム４１から離間する離間位置（図２の位置）との間を回動可能となっている。支持部材９０が離間位置に位置する状態において、ドラムユニット４０は、本体筐体１０に対して着脱可能となっている。また、各現像カートリッジ６０は、支持部材９０に対して着脱可能となっている。
【００３９】
転写ユニット７０は、給紙トレイ２１とドラムユニット４０との間に設けられている。転写ユニット７０は、駆動ローラ７１と、従動ローラ７２と、無端状の搬送ベルト７３と、４つの転写ローラ７４とを備えている。搬送ベルト７３は、駆動ローラ７１と従動ローラ７２の間に張設されている。搬送ベルト７３は、外側の面が各感光ドラム４１に接しており、その内側には各転写ローラ７４が各感光ドラム４１との間で搬送ベルト７３を挟持するように配置されている。
【００４０】
定着ユニット８０は、転写ユニット７０の後方に設けられ、加熱ローラ８１と、加熱ローラ８１に向けて押圧される加圧ローラ８２とを備えている。
【００４１】
このような画像形成部３０では、感光ドラム４１の表面が、帯電ローラ４２により一様に帯電された後、露光ヘッド５０によって露光されることで、感光ドラム４１上に画像データに基づく静電潜像が形成される。そして、現像ローラ６２から感光ドラム４１に現像剤が供給されることで、静電潜像が可視像化されて感光ドラム４１上に現像剤像が形成される。
【００４２】
各感光ドラム４１上に形成された現像剤像は、各転写ローラ７４によって、搬送ベルト７３上の用紙Ｐに順次重ね合わせて転写される。現像剤像が転写された用紙Ｐは、加熱ローラ８１と加圧ローラ８２の間を搬送されることで現像剤像が熱定着される。その後、用紙Ｐは、本体筐体１０内から外部に排出され、トップカバー１１の上面に形成された排紙トレイ１１Ｂ上に載置される。
【００４３】
次に、ドラムユニット４０のドラムフレーム４３と支持部材９０について詳細に説明する。
図３および図４に示すように、ドラムフレーム４３は、第１壁の一例としての第１前壁４３１と、２つの第１側壁４３２，４３３と、第１後壁４３４と、第１ハンドルＨ１とを備えている。第１前壁４３１は、複数の感光ドラム４１に対して前側に配置されている。
【００４４】
２つの第１側壁４３２，４３３は、各感光ドラム４１を回転可能に支持する壁であり、第１前壁４３１の左右の各端部から後方に向けて延びている。第１後壁４３４は、複数の感光ドラム４１に対して後側に配置される壁であり、各第１側壁４３２，４３３の後端部を連結している。
【００４５】
第１ハンドルＨ１は、左右方向に延びる円柱状のハンドルであり、左右方向の両端部が２つのアーム部材４３５を介して第１前壁４３１の上端部に連結されている。第１ハンドルＨ１は、左右方向の長さが第１前壁４３１よりも小さくなっており、第１前壁４３の左右方向中央部に配置されている。各アーム部材４３５は、第１前壁４３１の上端部から前斜め上方に向けて延びている。第１ハンドルＨ１は、各アーム部材４３５の先端に固定されている。
【００４６】
これにより、第１ハンドルＨ１は、第１前壁４３１から水平方向および上下方向、詳しくは前方および上方に離れて配置されている。
【００４７】
支持部材９０は、第２壁の一例としての第２前壁９１と、２つの第２側壁９２，９３と、第２後壁９４と、第２ハンドルＨ２と、カバーＣとを備えている。第２前壁９１は、複数の現像カートリッジ６０に対して前側に配置されている。
【００４８】
２つの第２側壁９２，９３は、各現像カートリッジ６０および各露光ヘッド５０を支持する壁であり、第２前壁９１の左右の各端部から後方に向けて延びている。第２後壁９４は、複数の現像カートリッジ６０に対して後側に配置される壁であり、各第２側壁９２，９３の後端部を連結している。
【００４９】
第２後壁９４の左右方向の各端部には、後方に向けて延出する延出部９５が１つずつ設けられている。各延出部９５の後端部は、本体筐体１０に回動可能に支持されている。つまり、支持部材９０は、水平方向、詳しくは前後方向の一端を中心にして本体筐体１０に対して回動可能となっている。
【００５０】
詳しくは、各延出部９５は、支持部材９０を露光位置と離間位置とに回動するための回動軸９５Ａを後端部に有している。ここで、回動軸９５Ａは、本体筐体１０に形成される穴に回動可能に支持される円柱であってもよいし、本体筐体１０に設けられる円柱状のボスに回動可能に支持される穴であってもよい。回動軸９５Ａは、支持部材９０の前後方向の一端に配置されている。
【００５１】
第２ハンドルＨ２は、左右方向に延びる円柱状のハンドルであり、左右方向の両端部が２つのハンドル支持部９６を介して第２前壁９１の上端部に連結されている。各ハンドル支持部９６は、第２前壁９１の上端部における左右方向の各端部から前方に向けて延びている。第２ハンドルＨ２は、第２前壁９１から水平方向、詳しくは前方に離れて配置され、各ハンドル支持部９６の前端部に回動可能に支持されている。
【００５２】
第２ハンドルＨ２は、第１ハンドルＨ１よりも前側、つまり支持部材９０の前後方向における他端側に配置されている。第２ハンドルＨ２は、左右方向の長さが第１ハンドルＨ１よりも大きくなっている。第２ハンドルＨ２は、左右方向、つまり感光ドラム４１の回転軸線方向の一端部と他端部にフックＦを１つずつ有し、フックＦとともにハンドル支持部９６に対して回動可能となっている。
【００５３】
フックＦは、支持部材９０の前後方向の他端に配置されている。フックＦは、第２ハンドルＨ２から下方に延びる基部Ｆ１と、基部Ｆ１の下端部から後方に向けて突出する爪部Ｆ２とを有している。爪部Ｆ２は、支持部材９０が露光位置に位置するときに、本体筐体１０に設けられた係止部１０Ｂに係合する。ここで、係止部１０Ｂは、本体筐体１０を構成する部品または部分であってもよいし、本体筐体１０に固定される部品であってもよい。
【００５４】
カバーＣは、ドラムユニット４０が本体筐体１０に装着され、かつ、支持部材９０が露光位置に位置するときに、第２ハンドルＨ２と第１ハンドルＨ１との間に位置して第１ハンドルＨ１を覆うカバーである。カバーＣは、上下方向において、第２ハンドルＨ２と爪部Ｆ２との間に配置されている。カバーＣは、前後方向において、フックＦと第２前壁９１との間に配置されている。
【００５５】
カバーＣは、左右方向において、一端側のフックＦと他端側のフックＦとの間に配置されている。カバーＣは、左右方向の長さが、第１ハンドルＨ１よりも大きくなっており、左右方向の両端が、第１ハンドルＨ１よりも左右方向外側に位置している。また、カバーＣは、前後方向の長さが、第１ハンドルＨ１よりも大きくなっており、前後方向の両端が、第１ハンドルＨ１よりも前後方向外側に位置している。
【００５６】
カバーＣは、第２前壁９１から前方に向けて延びる水平部Ｃ１と、水平部Ｃ１の前端から前斜め下方に向けて延びる傾斜部Ｃ２とを有している。水平部Ｃ１には、上下方向に貫通する複数の孔Ｃ１１が形成されている。各孔Ｃ１１は、図５に示すように、第１ハンドルＨ１と第１前壁４３１との間の空間、詳しくは、第１ハンドルＨ１、第１前壁４３１および各アーム部材４３５で囲われた空間に向けて開口している。
【００５７】
図３（ａ），（ｂ）に示すように、傾斜部Ｃ２は、前側、つまり前後方向の他端側に向かうにつれて第２ハンドルＨ２から上下方向において離れた位置に位置するように傾斜している。水平部Ｃ１は、前端部Ｃ４を有し、傾斜部Ｃ２は、前端部Ｃ５を有している。前後方向において、水平部Ｃ１の前端部Ｃ４から第２前壁９１までの距離Ｄ２は、傾斜部Ｃ２の前端部Ｃ５から第２前壁９１までの距離Ｄ３よりも短い。
【００５８】
カバーＣの左右方向における長さは、例えば１３０〜１５０ｍｍとすることができる。また、カバーＣの厚さは、１．６〜２ｍｍとすることができる。さらに、第２ハンドルＨ２とカバーＣの上下方向における間隔Ｄ１は、３０〜５０ｍｍとすることができる。
【００５９】
次に、前述したカバーＣなどの作用効果について説明する。
図１に示す状態からユーザがトップカバー１１を開けると、ユーザは、支持部材９０の第２ハンドルＨ２を視認することができるが、ドラムユニット４０の第１ハンドルＨ１はカバーＣで覆われているため視認することができない。そのため、ユーザが、支持部材９０の第２ハンドルＨ２を掴む際に、誤って第１ハンドルＨ１を一緒に掴むことを抑えることができる。
【００６０】
また、支持部材９０を回動させる際において、ユーザが握った第２ハンドルＨ２を回すと、フックＦが係止部１０Ｂから外れる。そのため、例えばフックを操作するための部材が第２ハンドルとは別に設けられる構造に比べ、フックＦを本体筐体１０から外す作業を容易に行うことができる。
【００６１】
以上、本実施形態によれば、前述した効果に加え、以下のような効果を得ることができる。
前側に向かうにつれて第２ハンドルＨ２から上下方向において離れた位置に位置するように傾斜する傾斜部Ｃ２をカバーＣに設けたので、上下方向において第１ハンドルＨ１と第２ハンドルＨ２を近接させても、傾斜部Ｃ２によって、第２ハンドルＨ２を掴むための指を通すスペースを第２ハンドルＨ２とカバーＣとの間に確保することができる。そのため、上下方向において第１ハンドルＨ１と第２ハンドルＨ２を近接させて、カラープリンタ１を上下方向に小型化することができる。
【００６２】
カバーＣに、第１ハンドルＨ１と第１前壁４３１との間の空間に向けて開口する孔Ｃ１１を形成したので、第２ハンドルＨ２側から感光ドラム４１側へ向かう空気の流れ、または、感光ドラム４１側から第２ハンドルＨ２側へ向かう空気の流れが、カバーで遮られるのを抑制することができる。
【００６３】
第２ハンドルＨ２の一端側と他端側にフックＦを設けたので、支持部材９０を本体筐体１０に安定して固定することができる。
【００６４】
なお、本発明は前記実施形態に限定されることなく、以下に例示するように様々な形態で利用できる。以下の説明においては、前記実施形態と略同様の構造となる部材には同一の符号を付し、その説明は省略する。
【００６５】
前記実施形態では、第１ハンドルＨ１および第２ハンドルＨ２の形状を円柱状としたが、本発明はこれに限定されず、例えば多角柱状など、どのような形状であってもよい。ただし、第２ハンドルＨ２を円柱状に形成した場合には、図６に示すように、第２ハンドルＨ２に、当該第２ハンドルＨ２の外周面から突出する突出片Ｈ２１を設けるのが好ましい。また、この場合、突出片Ｈ２１の先端は、前後方向において、第２ハンドルＨ２と第２前壁９１との間に配置するとよい。
【００６６】
これによれば、第２ハンドルＨ２を掴む際に指が突出片Ｈ２１に当たることで第２ハンドルＨ２を回しやすくなるので、フックＦを本体筐体１０から外す作業をより容易に行うことができる。また、突出片Ｈ２１の先端を第２ハンドルＨ２と第２前壁９１との間に配置することで、指を第２ハンドルＨ２と第２前壁９１の間に入れた際に、突出片Ｈ２１が指に当たりやすいため、第２ハンドルＨ２をより回しやすくなり、フックＦを本体筐体１０から外す作業をより容易に行うことができる。
【００６７】
前記実施形態では、支持部材９０が露光位置に位置する状態において、第１ハンドルＨ１がカバーＣで完全に覆われてユーザが視認できないように構成したが、本発明はこれに限定されず、第１ハンドルがカバーで完全に覆われなくてもよい。例えば、カバーに複数のスリットが形成され、スリットから第１ハンドルが視認できるように構成されていてもよい。この場合であっても、スリットの幅を指よりも小さくなるように形成するなど、ユーザが第１ハンドルＨ１にアクセスできないようにカバーを構成することで、ユーザが支持部材の第２ハンドルと一緒にドラムユニットの第１ハンドルを掴んでしまうのを抑制することができる。
【００６８】
前記実施形態では、ドラムユニット４０や支持部材９０に設ける感光ドラム４１、露光ヘッド５０および現像カートリッジ６０の数を４つとしたが、本発明はこれに限定されず、感光ドラム、露光ヘッドおよび現像カートリッジの数は、それぞれ１つであってもよいし、４つ以外の複数であってもよい。
【００６９】
前記実施形態では、支持部材９０の回動軸９５Ａを、複数の感光ドラム４１の並び方向である前後方向の一端に配置し、第２ハンドルＨ２を前後方向の他端に配置したが、本発明はこれに限定されるものではない。例えば、支持部材の回動軸を、感光ドラムの回転軸線方向の一端に配置し、第２ハンドルを回転軸線方向の他端に配置してもよい。
【００７０】
前記実施形態では、カラープリンタ１に本発明を適用したが、本発明はこれに限定されず、その他の画像形成装置、例えばモノクロのプリンタや複写機や複合機などに本発明を適用してもよい。
【００７１】
前記した実施形態および変形例で説明した各要素を、任意に組み合わせて実施してもよい。
【符号の説明】
【００７２】
１      カラープリンタ
１０    本体筐体
１０Ａ  開口部
４０    ドラムユニット
４１    感光ドラム
５０    露光ヘッド
６０    現像カートリッジ
９０    支持部材
Ｃ      カバー
Ｈ１    第１ハンドル
Ｈ２    第２ハンドル
【図１】
2019152840.tif 000003
【図２】
2019152840.tif 000004
【図３】
2019152840.tif 000005
【図４】
2019152840.tif 000006
【図５】
2019152840.tif 000007
【図６】
2019152840.tif 000008